(57)【要約】【課題】被印刷材が弛みやバタツキが生じることなく、さらにこの被印刷材の表面に着傷や印刷汚れが生じることなく、バリアブル印刷できるようにする。【解決手段】一対の送りローラ１，２間に配置される印刷ユニット３ａ〜３ｄの圧胴６を上記送りローラと同期回転可能にする。各圧胴の上流側と下流側の少なくとも一方に、印刷胴と圧胴の間を通る被印刷材を圧胴に所定の巻き角にわたって巻き掛けるためのガイドローラ１４ａ，１４ｂを配置し、圧胴にピッチ円径を同一にしたタイミングプーリ１５とＶプーリ１６を設け、ガイドローラにピッチ円径を同一にしたタイミングプーリ１７ａ，１７ｂとＶプーリ１８ａ，１８ｂを設け、上記圧胴に設けたタイミングプーリ及びＶプーリと、ガイドローラに設けたタイミングプーリ及びＶプーリのピッチ円径の比を、圧胴とガイドローラの外径の比と同一にし、上記各タイミングプーリにタイミングベルト２２を、また各ＶプーリにＶベルト２３を巻き掛けた。【選択図】図４
2008036824.tif 000002
【特許請求の範囲】
【請求項１】
同期して正逆転可能にした一対の送りローラ間に、この送りローラにて走行される連続状の被印刷材を通して連続回転する印刷胴と圧胴とからなり、印刷胴の周面に、圧胴との間の被印刷材に接して印刷を行う大径部と、小径部とを周方向に設けてなる少なくとも１組の印刷ユニットを配置し、上記両送りローラが、印刷胴の大径部が被印刷材に接している間にわたってこの大径部の回転速度と等速で被印刷材を走行し、小径部が被印刷材に対向している間に上記印刷胴の大径部のうちの非画像範囲にわたって被印刷材を逆方向に走行させるようにしたバリアブル印刷機において、
印刷ユニットの圧胴を上記一対の送りローラと同期回転可能にすると共に、各圧胴の上流側と下流側の少なくとも一方に、印刷胴と圧胴の間を通る被印刷材を圧胴に所定の巻き角にわたって巻き掛けるためのガイドローラを配置し、
圧胴にピッチ円径を同一にしたタイミングプーリとＶプーリを設け、ガイドローラにピッチ円径を同一にしたタイミングプーリとＶプーリを設け、上記圧胴に設けたタイミングプーリ及びＶプーリと、ガイドローラに設けたタイミングプーリ及びＶプーリのそれぞれのピッチ円径の比を、圧胴とガイドローラのそれぞれの外径の比と同一にし、
上記各タイミングプーリにタイミングベルトを、また各ＶプーリにＶベルトを巻き掛けて、タイミングベルトとＶベルトによりガイドローラを上記圧胴と同一周速度で同期回転するようにしたことを特徴とするバリアブル印刷機。
【請求項２】
請求項１記載のバリアブル印刷機において、
タイミングプーリと共に設けるＶプーリを圧胴及びガイドローラの両端部に設け、この各ＶプーリにＶベルトを巻掛けたことを特徴とするバリアブル印刷機。
【請求項３】
同期して正逆転可能にした一対の送りローラ間に、この送りローラにて走行される連続状の被印刷材を通して連続回転する印刷胴と圧胴とからなり、印刷胴の周面に、圧胴との間の被印刷材に接して印刷を行う大径部と、小径部とを周方向に設けてなる少なくとも１組の印刷ユニットを配置し、上記両送りローラが、印刷胴の大径部が被印刷材に接している間にわたってこの大径部の回転速度と等速で被印刷材を走行し、小径部が被印刷材に対向している間に上記印刷胴の大径部のうちの非画像範囲にわたって被印刷材を逆方向に走行させるようにしたバリアブル印刷機において、
印刷ユニットの圧胴を上記一対の送りローラと同期回転可能にすると共に、各圧胴の上流側と下流側の少なくとも一方に、印刷胴と圧胴の間を通る被印刷材を圧胴に所定の巻き角にわたって巻き掛けるためのガイドローラを配置し、
圧胴とガイドローラのそれぞれの一端部に、回転制御可能に単独駆動するモータを連結したことを特徴とするバリアブル印刷機。
【請求項４】
請求項３記載のバリアブル印刷機において、
圧胴とガイドローラの他端部に、ピッチ円径の比を圧胴とガイドローラの比にしたＶプーリを固定し、この各ＶプーリにＶベルトを巻掛けたことを特徴とするバリアブル印刷機。
【請求項５】
一対の送りローラ間に設けられる全てのガイドローラのそれぞれを、単独に回転制御可能にした個々のモータにて駆動するようにしたことを特徴とする請求項１から４のいずれか１項記載のバリアブル印刷機。
【発明の詳細な説明】
【技術分野】
【０００１】
本発明は、バリアブル印刷機に関するものである。
【背景技術】
【０００２】
オフセット型のバリアブル印刷機は図１に示すようになっていて、同期して正転と逆転を行うことができるようにした一対の送りローラ１，２間に複数のバリアブル印刷可能にした印刷ユニット３ａ，３ｂが水平方向に配置されている。そしてこの各印刷ユニット３ａ，３ｂは版胴４とブランケット胴５と圧胴６とからなり、ブランケット胴５の周面には、例えば１／２円周長ｓ−ａの印刷面となる大径部が設けてあり、この大径部の周面にブランケット７が取り付けてある。
【０００３】
一方版胴４には、上記ブランケット胴５の大径部に対接する部分に、これの周長ｓ−ａより短い周長の刷版８が取り付けてある。そしてこの版胴４の刷版８には、この版胴４に隣接して設けたインキ装置（図示せず）からインキが供給されるようになっている。また、上記上流側と下流側の一対の送りローラ１，２の少なくとも一方の上流側、あるいは他方の下流側に用紙緩衝部（ループ部）９が設けられている（例えば、特許文献１参照）。
【０００４】
このバリアブル印刷機にあっては、天地方向長さがブランケット胴５の大径部の周長より短い周長ｓ−ｂの長さの印刷を天地方向に繰り返し連続的に連続紙１０に印刷する場合、ブランケット胴５が連続回転する間に、送りローラ１，２の作用により、連続紙１０はブランケット胴５の大径部の周長ｓ−ａにわたって等速で前進走行して、この間に上記印刷周長ｓ−ｂの印刷を行い、次に各印刷ユニット３ａ，３ｂのブランケット胴５の小径部の周長ａ−ｓが、圧胴６に対向している、いわゆる逃がし間において、連続紙１０を非画像範囲であるａ−ｂだけ逆方向に走行し、これを順次繰り返して各印刷ユニット３ａ，３ｂのブランケット胴５の１回転ごとに連続紙１０上にｓ−ｂの天地長さの画像の印刷が隙間なく繰り返し印刷されるようになっている。
【０００５】
【特許文献１】特開平２−７５５６１号公報
【発明の開示】
【発明が解決しようとする課題】
【０００６】
この種のバリアブル印刷機にあっては、図１に示すように両送りローラ１，２間の紙通し経路は一直線状になっていると共に、各印刷ユニット３ａ，３ｂの上・下流側にガイドローラを備えていない。そのため、連続紙１０の逆方向へ走行する戻り工程で、連続紙１０がブランケット胴５の小径部に対向したときに、両送りローラ１，２間の経路内の連続紙１０は、この全長にわたって瞬間的にニップが加わらない状態となり、これが各印刷ごとに繰り返される。
【０００７】
このため、従来のこの種のバリアブル印刷機にあっては、送りローラ１，２間の走行経路での連続紙にバタツキが発生しやすく、特に上記走行経路の中央部での弛みやバタツキが発生しやすく、テンションも不安定で蛇行が生じやすかった。
【０００８】
これらのことから、上流側と下流側の送りローラ１，２に周速差を設けて連続紙１０のテンションを強くして、連続紙１０の自重による弛みやバタツキを除き、蛇行を抑えると共に、ブランケット胴５と圧胴６への接触による印刷汚れや着傷をふせぐ必要がある。
【０００９】
しかし、被印刷材にプラスチックフィルムが用いられた場合、この被印刷材自体が傷に弱く、また静電気のため胴に貼り付きやすいので、圧胴やブランケット胴へのこすれによる着傷、印刷汚れを回避できない。
【００１０】
また、紙、フィルムを問わず被印刷材が薄い場合、両送りローラ間の走行経路が７ｍ以上にもおよぶ場合には、この間での弛みやバタツキを抑えるために、被印刷材の張りを強くすると、これの伸び、切断による新たな問題を生じてしまうため、テンションを上げることができず、蛇行を防ぐことができなかった。
【００１１】
本発明は上記のことに鑑みなされたもので、被印刷材がプラスチックや薄い材料でも、弛みやバタツキが生じることなくスムーズにバリアブル印刷を行うことができるようにし、しかも被印刷材の走行挙動が安定して高速走行でも静粛安定稼動が可能になるようにしたバリアブル印刷機を提供することを目的とするものである。
【課題を解決するための手段】
【００１２】
上記目的を達成するために、本発明に係るバリアブル印刷機は、同期して正逆転可能にした一対の送りローラ間に、この送りローラにて走行される連続状の被印刷材を通して連続回転する印刷胴と圧胴とからなり、印刷胴の周面に、圧胴との間の被印刷材に接して印刷を行う大径部と、小径部とを周方向に設けてなる少なくとも１組の印刷ユニットを配置し、上記両送りローラが、印刷胴の大径部が被印刷材に接している間にわたってこの大径部の回転速度と等速で被印刷材を走行し、小径部が被印刷材に対向している間に上記印刷胴の大径部のうちの非画像範囲にわたって被印刷材を逆方向に走行させるようにしたバリアブル印刷機において、印刷ユニットの圧胴を上記一対の送りローラと同期回転可能にすると共に、各圧胴の上流側と下流側の少なくとも一方に、印刷胴と圧胴の間を通る被印刷材を圧胴に所定の巻き角にわたって巻き掛けるためのガイドローラを配置し、圧胴にピッチ円径を同一にしたタイミングプーリとＶプーリを設け、ガイドローラにピッチ円径を同一にしたタイミングプーリとＶプーリを設け、上記圧胴に設けたタイミングプーリ及びＶプーリと、ガイドローラに設けたタイミングプーリ及びＶプーリのそれぞれのピッチ円径の比を、圧胴とガイドローラのそれぞれの外径の比と同一にし、上記各タイミングプーリにタイミングベルトを、また各ＶプーリにＶベルトを巻き掛けて、タイミングベルトとＶベルトによりガイドローラを上記圧胴と同一周速度で同期回転するようにした構成になっている。
【００１３】
そしてこのバリアブル印刷機において、タイミングプーリと共に設けるＶプーリを圧胴及びガイドローラの両端部に設け、この各ＶプーリにＶベルトを巻掛けた構成にした。
【００１４】
また、本発明に係るバリアブル印刷機は、同期して正逆転可能にした一対の送りローラ間に、この送りローラにて走行される連続状の被印刷材を通して連続回転する印刷胴と圧胴とからなり、印刷胴の周面に、圧胴との間の被印刷材に接して印刷を行う大径部と、小径部とを周方向に設けてなる少なくとも１組の印刷ユニットを配置し、上記両送りローラが、印刷胴の大径部が被印刷材に接している間にわたってこの大径部の回転速度と等速で被印刷材を走行し、小径部が被印刷材に対向している間に上記印刷胴の大径部のうちの非画像範囲にわたって被印刷材を逆方向に走行させるようにしたバリアブル印刷機において、印刷ユニットの圧胴を上記一対の送りローラと同期回転可能にすると共に、各圧胴の上流側と下流側の少なくとも一方に、印刷胴と圧胴の間を通る被印刷材を圧胴に所定の巻き角にわたって巻き掛けるためのガイドローラを配置し、圧胴とガイドローラのそれぞれの一端部に、回転制御可能に単独駆動するモータを連結した構成になっている。
【００１５】
そしてこのバリアブル印刷機において、圧胴とガイドローラの他端部に、ピッチ円径の比を圧胴とガイドローラの比にしたＶプーリを固定し、この各ＶプーリにＶベルトを巻掛けた構成になっている。
【００１６】
また、上記バリアブル印刷機において、一対の送りローラ間に設けられる全てのガイドローラのそれぞれを、単独に回転制御可能にした個々のモータにて駆動するようにした。
【発明の効果】
【００１７】
本発明の請求項１記載のバリアブル印刷機によれば、上流側と下流側の両送りローラ間を走行する被印刷材は、各印刷ユニットにおいて、ガイドローラにより常時圧胴に所定の巻き角で巻き掛けられることにより、ブランケット胴の大径部が圧胴からはずれて被印刷材にブランケット胴によるニップが加わらない状態であっても、この被印刷材は両送りローラ間において自由状態となることがなくなり、バリアブル印刷により往復走行を繰り返す被印刷材に弛みやバタツキが発生するのを防止できる。
【００１８】
そして特にこの発明によれば、上記ガイドローラは圧胴により、タイミングベルトと共にＶベルトにて２重に連結されていることにより、圧胴の回転方向の切り替え時に、このときの衝撃的な力によって、仮にタイミングベルトにタイミングプーリとの間のバックラッシュによる瞬間的なスベリが生じたとしても、このスベリはＶベルトによる連結部の摩擦駆動力により干渉吸収されて縮和され、これによりガイドローラは圧胴の回転に対して回転差が生じることなく追随することができ、ガイドローラにて圧胴に巻掛けられて往復走行する際の被印刷材のバタツキを無くすことができる。したがって、被印刷材の走行挙動が安定して、高速走行でも静粛安定稼動が可能になった。
【００１９】
また、請求項２記載のバリアブル印刷機では、圧胴とガイドローラのそれぞれの両端部においてＶベルトにて連結されていることにより、このＶベルトにてガイドローラは圧胴により両端部で駆動され、ガイドローラが細径であっても、このガイドローラはねじれることなく平行度を維持して回転されて、圧胴に巻き掛けられて走行する被印刷材を安定して案内することができる。
【００２０】
本発明の請求項３記載のバリアブル印刷機によれば、圧胴とガイドローラのそれぞれを回転制御可能に単独駆動するモータにて回転するようにしたことにより、各モータの制御により、圧胴とガイドローラとを回転差が生じることなく同期回転することができる。そして請求項４記載のバリアブル印刷機では、ガイドローラのモータ側とは反対側においてＶベルトにて圧胴に連結されていることにより、このガイドローラはねじれることなく回転されて、被印刷材を安定して案内することができる。さらに、請求項５記載のバリアブル印刷機では、一対の送りローラ間に位置する全てのガイドローラにて上記一対の送りローラに同期して連続紙を走行駆動することができ、しかもこの各ガイドローラの回転周速を個々に回転制御することができる。
【発明を実施するための最良の形態】
【００２１】
本発明に係るバリアブル印刷機の一例を図２から図４にて説明する。なお、図１で示した従来の構成と同一のものは同一符号をつけて説明する。
【００２２】
連続紙１０の走行方向の上流側と下流側の送りローラ１，２の間の走行経路内に、版胴４、ブランケット胴５、圧胴６からなるバリアブル印刷可能にした複数（４台）の印刷ユニット３ａ，３ｂ，３ｃ，３ｄが配置されている。各印刷ユニット３ａ〜３ｄの版胴４とブランケット胴５は同一周速度で回転されるようになっている。そして図２に図示しないが版胴４には刷版が、ブランケット胴５にはブランケットが、それぞれの大径部の周面に装着されるようになっている。なお、上流側の送りローラ１の上流側、及び下流側の送りローラ２の下流側にそれぞれ用紙緩衝部９ａ，９ｂが配設してある。また図中１１は、上流側の用紙緩衝部９ａの上流側に配置される給紙部である。上記上流側と下流側の両送りローラ１，２は、１つの駆動源に原動軸を介して連結され、あるいはそれぞれに回転制御可能にした単独モータが連結されていて、同一周速度で回転可能になっている。
【００２３】
図２で示した実施の形態では、印刷ユニット３ａ〜３ｄは交換胴型のものが用いられており、版胴４、ブラケット胴５、圧胴６は３胴型の交換胴装置として印刷ユニット３ａ〜３ｄの機枠１２に対し、装脱可能に装着されている。そしてこの装着状態において各版胴４に設けた従動歯車が、上記各機枠１２に設けた駆動歯車に噛合されるようになっている。また、各機枠１２に設けられた駆動歯車は、印刷機本体に設けられた１つの原動機に連動連結されていて、各印刷ユニット３ａ〜３ｂの版胴４が同期回転するようになっている。また、この各版胴４は個々に単独に回転制御されるモータにて駆動するようにしてもよい。
【００２４】
そしてこの実施の形態では、各交換胴装置におけるブランケット胴５は版胴４と連動連結されているが、圧胴６は単独に回転制御されるモータ１３にて回転駆動されるようになっている。
【００２５】
各印刷ユニット３ａ〜３ｄのそれぞれの圧胴６の上流側と下流側に、各ユニット３ａ〜３ｄのブランケット胴５と圧胴６との間を通る連続紙１０を圧胴６に所定の巻き角にわたって巻き掛けるためのガイドローラ１４ａ，１４ｂが配設してある。
【００２６】
また上記各ガイドローラ１４ａ，１４ｂの駆動は、各印刷ユニット３ａ〜３ｄの圧胴６に連結されていて、この圧胴６と同一の周速度で同期回転するようになっている。
【００２７】
図３、図４にこのガイドローラ１４ａ，１４ｂの駆動系の一例を示す。モータ１３にて駆動される圧胴６の一端、例えばモータ１３側の軸端部に駆動タイミングプーリ１５と駆動Ｖプーリ１６とが並列に固着されている。
【００２８】
また、ガイドローラ１４ａ，１４ｂのそれぞれの一方の軸端部で、上記圧胴１３の各プーリ１５，１６に対応する位置に従動タイミングプーリ１７ａ，１７ｂと、従動Ｖプーリ１８ａ，１８ｂが並列に固着されている。さらに、上記各ガイドローラ１４ａ，１４ｂに対して対向方向に離隔する位置に、テンションタイミングプーリ１９ａ，１９ｂとテンションＶプーリ２０ａ，２０ｂが本機側に設けた支軸２１ａ，２１ｂに同軸状に、かつ回転自在に並列に設けてある。そしてこの支軸２１ａ，２１ｂの少なくとも一方の支軸２１ａは、他の支軸２１ｂに対して遠近方向に位置移動可能になっている。
【００２９】
上記圧胴６に設けた駆動タイミングプーリ１５と、両ガイドローラ１４ａ，１４ｂに設けた従動タイミングプーリ１７ａ，１７ｂと、両テンションタイミングプーリ１９ａ，１９ｂに両面タイプのタイミングベルト２２が、図３に示すようにこれの内側面を駆動タイミングプーリ１５と両テンションタイミングプーリ１９ａ，１９ｂに、外側面を従動タイミングプーリ１７，１７ｂに噛み合わせて巻き掛けてある。
【００３０】
また、圧胴６に設けた駆動Ｖプーリ１６と、両ガイドローラ１４ａ，１４ｂに設けた従動Ｖプーリ１８ａ，１８ｂと、両テンションＶプーリ２０ａ，２０ｂに両面タイプのＶベルト２３が図３に示すように、これの内側面を駆動Ｖプーリ１６と両テンションＶプーリ２０ａ，２０ｂに、外側面を従動Ｖプーリ１８ａ，１８ｂに接触させて巻き掛けてある。
【００３１】
上記タイミングベルト２２及びＶベルト２３のテンション調整は、一方の支軸２１ａを移動して一方のテンションタイミングプーリ１９ａ、テンションＶプーリ２０ａを移動することにより行われる。
【００３２】
圧胴６に設けた駆動タイミングプーリ１５と駆動Ｖプーリ１６のそれぞれのピッチ円径は同一になっている。また、ガイドローラ１４ａに設けた従動タイミングプーリ１７ａと従動Ｖプーリ１８ａのそれぞれのピッチ円径は同一になっている。同様に他のガイドローラ１４ｂに設けた従動タイミングプーリ１７ｂと従動Ｖプーリ１８ｂのそれぞれのピッチ円径は同一になっている。そして上記圧胴６に設けた駆動タイミングプーリ１５及び駆動Ｖプーリ１６と、ガイドローラ１４ａに設けた従動タイミングプーリ１７ａ及び従動Ｖプーリ１８ａと、他のガイドローラ１４ｂに設けた従動タイミングプーリ１７ｂ及び従動Ｖプーリ１８ｂのそれぞれのピッチ円径の比率は、圧胴６と各ガイドローラ１４ａ，１４ｂのそれぞれの外径の比率と同一になっている。各ベルトを介して圧胴６にて駆動される両ガイドローラ１４ａ，１４ｂは、圧胴６と同一の回転周速にて回転されるようになっている。
【００３３】
また、各支軸２１ａ，２１ｂのそれぞれに設けられたテンションタイミングプーリ１９ａ，１９ｂとテンションＶプーリ２０ａ，２０ｂのそれぞれのピッチ円径は同一になっている。
【００３４】
上記構成において、両送りローラ１，２間における連続紙１０は、各印刷ユニット３ａ〜３ｄのブランケット胴５と圧胴６との間に紙通しされる。このとき、連続紙１０は各圧胴６の上流側と下流側のガイドローラ１４ａ，１４ｂを経由して圧胴６に所定の巻き角にて巻き掛けられる。
【００３５】
しかして、両送りローラ１，２と各印刷ユニット３ａ〜３ｄの圧胴６を、各印刷ユニット３ａ〜３ｄの動作に連動にして正転及び逆転させる。すなわち、各印刷ユニット３ａ〜３ｄのブランケット胴５の大径部の周長にわたって連続紙１０を正転方向に走行させ、ブランケット胴５の小径部が圧胴６に対向している間に、上記正転方向への余分の走行距離である非画像範囲だけ逆送させる。
【００３６】
このとき圧胴６とガイドローラ１４ａ，１４ｂは、連続紙１０の走行方向及び走行速度に同期して同一周速度で回転制御されて、連続紙１０は圧胴６に所定の巻き角で巻き掛けられた状態で正逆の両方向に圧胴６に案内されて走行される。
【００３７】
このように各印刷ユニット３ａ〜３ｄのブランケット胴５の小径部が圧胴６に対向して、このブランケット胴５によるニップが作用していないときにおいても、連続紙１０は各印刷ユニット３ａ〜３ｄにおける圧胴６に巻き掛けられて走行されることになり、ブランケット胴５の小径部に対向してこれからのニップが作用しない状態で逆走される連続紙の弛みやバタツキの発生が防止される。
【００３８】
そしてこのときにおいて、各印刷ユニット３ａ〜３ｄの前後において、上記連続紙１０を案内するガイドローラ１４ａ，１４ｂが圧胴６と同期して同一周速度で回転されていることにより、ここを通る連続紙１０はこの各ガイドローラ１４ａ，１４ｂに対してスリップすることなく走行される。
【００３９】
上記作用時において、圧胴６の連続紙走行方向両側に設けられたガイドローラ１４ａ，１４ｂは、圧胴６によりタイミングベルト２２とＶベルト２３による２重の駆動方式にて駆動される。
【００４０】
そしてこの圧胴６によるベルト駆動において、圧胴６の駆動タイミングプーリ１５と、これに巻き掛けたタイミングベルト２２との間には、上記圧胴６の正転と逆転の切り替え時に衝撃的な力が加わり、タイミングプーリ１５とタイミングベルト２２との噛み合い部に存在するバックラッシュの遊び、及びタイミングベルト２２の弾性による瞬間的なスベリが発生し、このスベリにより走行方向の切り替え時の連続紙１にバタツキ等の悪影響を与えることになる。
【００４１】
ところが上記圧胴６には駆動Ｖプーリ１６が並列して設けてあって、これにガイドローラ１４ａ，１４ｂに固定されたＶプーリ１８ａ，１８ｂに巻き掛けたＶベルト２３が、上記タイミングベルト２２と並列に巻き掛けてあることにより、このＶベルトの摩擦駆動力により、上記タイミングプーリ１５とタイミングベルト２３との間に発生する上記スベリ量が吸収されて縮和され、連続紙の走行方向切り替え時のバタツキが抑制される。
【００４２】
なお、このときにおいて各軸部におけるタイミングプーリ１５，１７ａ，１７ｂ，１９ａ，１９ｂとＶプーリ１６，１８ａ，１８ｂ，２０ａ，２０ｂは、それぞれのピッチ円径が同一になっていることが要求されるが、実際には各プーリの加工誤差により、この両者のピッチ円径を同一にするのはむずかしいことである。
【００４３】
そのため図７、図８に示すように、Ｖプーリ１６，１８ａ，１８ｂ，２０ａ，２０ｂをこれの溝幅を調整可能な構成にする。すなわち、Ｖ溝２４を構成する一方の溝壁部材２５ａと、他方の溝壁部材２５ｂとを軸方向に別体にし、一方の溝壁部材２５ａのボス部２６に他方の溝壁部材２５ｂをねじ結合し、これのねじ込み深さによってＶ溝２４の幅が調整されるようになっている。そして上記一方の溝壁部材２５ａは軸部に固定可能になっており、他方の溝壁部材２５ｂは手作業により回転可能になっており、かつこの他方の溝壁部材２５ｂに設けた押しねじ２７にて固定できるようになっている。回転可能にした他方の溝壁部材２５ｂの表面には円周方向に目盛２８が設けてあり、この目盛２８と一方の溝壁部材２５ａのボス部２６の端面に設けた基準目盛２９との相対関係位置によりＶ溝２４の幅を調整して、この溝におけるピッチ円径を調整する。
【００４４】
なお、図４にて示した実施の形態では、タイミングプーリとＶプーリとを、圧胴６及びガイドローラ１４ａ，１４ｂの一端側に隣接して設けた例を示したが、これらを軸方向に離隔して、軸方向一端部にタイミングプーリを、他端部にＶプーリを設けるようにしてもよい。
【００４５】
図５、図６は本発明の他の実施の形態を示すものであり、図５に示す実施の形態は、圧胴６とガイドローラ１４ａ，１４ｂの軸方向一端側にタイミングプーリ１５とＶプーリ１６を設けると共に、軸方向他端側にも、上記一端側のものと同一のＶプーリ１６，１８ａ，１８ｂ、テンションＶプーリ２０ａ，２０ｂを設け、これらにＶベルト２３を巻き掛けた構成になっている。
【００４６】
この他の実施の形態によれば、ガイドローラ１４ａ，１４ｂは軸方向両端部においてＶベルトにて駆動され、特に細径であるガイドローラ１４ａ，１４ｂのねじれによる挙動を抑えることができ、ガイドローラ１４ａ，１４ｂ部における連続紙の安定送りを実現できる。
【００４７】
図６にて示す実施の形態は、圧胴６と共にガイドローラ１４ａ，１４ｂも回転制御可能にしたモータ１３ａ，１３ｂにて駆動するようにしてある。また圧胴６、ガイドローラ１４ａ，１４ｂのそれぞれのモータ側とは反対側には図５で示したものと同様に，Ｖプーリ１６，１８ａ，１８ｂが設けてある。
【００４８】
この実施の形態によれば、ガイドローラ１４ａ，１４ｂも圧胴６と同様に個々にモータ１３ａ，１３ｂにて駆動されると共に、それぞれの他端側はねじれることなくＶベルト２３にて回転駆動される。そしてこの実施の形態において、各印刷ユニット３ａ〜３ｄにおけるガイドローラ１４ａ，１４ｂのほかに、図２に示したように、上流側の送りローラ１の下流側及び下流側の送りローラ２の上流側に設けたガイドローラ１４ｃ，１４ｄ等、両送りローラ１，２間に設けられる全てのガイドローラのそれぞれを、単独に回転制御可能にした個々のモータ１３にて駆動するようにしてもよい。
【００４９】
なお、上記の実施の形態での印刷ユニット３ａ〜３ｄは、オフセットタイプで説明したが、これをブランケット胴を使用しない直刷りタイプであってもよいことはもちろんである。
【００５０】
また、上記構成においてガイドローラ１４ａ，１４ｂは、必ずしも圧胴６の上流側と下流側の双方に用いることはなく、要は圧胴６に連続紙１０を巻き掛けることができればよく、どちらか一方に設けてもよい。
【００５１】
また図２に示すように、各印刷ユニット３ａ〜３ｄの圧胴６より下流側にＵＶ乾燥機等の乾燥機２８を設けることにより、各印刷ユニット３ａ〜３ｄによる印刷直後の画像が乾燥される。
【図面の簡単な説明】
【００５２】
【図１】従来のバリアブル印刷機を示す概略的な構成説明図である。
【図２】本発明に係るバリアブル印刷機を示す概略的な構成説明図である。
【図３】ガイドローラの駆動系の一例を概略的に示す説明図である。
【図４】ガイドローラの駆動系の一例を概略的に示す正面図である。
【図５】ガイドローラの駆動系の他例を概略的に示す正面図である。
【図６】ガイドローラの駆動系の他例を概略的に示す正面図である。
【図７】Ｖプーリの一例を示す断面図である。
【図８】Ｖプーリの一例を示す正面図である。
【符号の説明】
【００５３】
１，２…送りローラ、３ａ，３ｂ，３ｃ，３ｄ…印刷ユニット、４…版胴、５ブランケット胴、６…圧胴、７…ブランケット、８…刷版、９，９ａ，９ｂ…用紙緩衝部、１０…連続紙、１１…給紙部、１２…機枠、１３…モータ、１４ａ，１４ｂ，１４ｃ，１４ｄ…ガイドローラ、１５，１７ａ，１７ｂ，１９ａ，１９ｂ…タイミングプーリ，１６，１８ａ，１８ｂ，２０ａ，２０ｂ…Ｖプーリ、２２…タイミングベルト、２３…Ｖベルト、２４…Ｖ溝、２５ａ，２５ｂ…溝壁部材、２６…ボス部、２７…押しねじ、２８…乾燥機。
【図１】
2008036824.tif 000003
【図２】
2008036824.tif 000004
【図３】
2008036824.tif 000005
【図４】
2008036824.tif 000006
【図５】
2008036824.tif 000007
【図６】
2008036824.tif 000008
【図７】
2008036824.tif 000009
【図８】
2008036824.tif 000010